(57)【要約】【課題】入力電圧Ｖｉｎの差違に拘わらず出力電圧Ｖｏｕｔを一定にする。【解決手段】メインスイッチ素子Ｑのスイッチング動作により出力電圧Ｖｏｕｔの制御を行うタイプのスイッチング電源装置１において、出力電圧検出回路１０により間接的に検出された出力電圧Ｖｏｕｔの検出電圧に基づいて出力電圧Ｖｏｕｔを安定化すべく制御回路１８がメインスイッチ素子Ｑのスイッチング制御を行う。二次側出力回路３の整流素子５，６と、出力電圧検出回路１０の整流素子１１，１２との特性の違いに起因して、出力電圧Ｖｏｕｔが同じあるのに入力電圧Ｖｉｎの差違により出力電圧検出回路１０の検出電圧が異なる虞があるが、それを防止するために、抵抗体Ｒ１等を利用して、メインスイッチ素子Ｑのオン期間中に整流側ダイオード１１に流れる電流と、メインスイッチ素子Ｑのオフ期間中に転流側ダイオード１２を流れる電流との比を調整する。【選択図】　　　　図１
2004135362.tif 000002
【特許請求の範囲】
【請求項１】
トランスの一次コイル側に設けられたメインスイッチ素子のスイッチング動作によって、トランスの二次コイルから出力される電圧を整流平滑して外部に出力する構成を備えると共に、トランスの三次コイルから出力される電圧を整流平滑し当該整流平滑電圧に基づいた電圧を前記外部への出力電圧の検出電圧として間接的に検出出力する出力電圧検出回路と、前記外部への出力電圧を安定化するために出力電圧検出回路による検出電圧を利用してメインスイッチ素子のスイッチング制御を行う制御回路とが設けられているスイッチング電源装置において、出力電圧検出回路は、メインスイッチ素子のオン期間に整流動作を行う整流側整流素子と、メインスイッチ素子のオフ期間に整流動作を行う転流側整流素子と、整流側整流素子を通るメインスイッチ素子のオン期間専用の電流導通経路部分と、転流側整流素子を通るメインスイッチ素子のオフ期間専用の電流導通経路部分とを有し、そのメインスイッチ素子のオン期間専用の電流導通経路部分と、メインスイッチ素子のオフ期間専用の電流導通経路部分とのうちの少なくとも一方には抵抗体が直列的に介設されており、メインスイッチ素子のオン期間に該メインスイッチ素子のオン期間専用の電流導通経路部分を流れる電流と、メインスイッチ素子のオフ期間に該メインスイッチ素子のオフ期間専用の電流導通経路部分を流れる電流との比が、一次コイルに入力する入力電圧の差違に拘わらず外部への出力電圧をほぼ一定にする比率となるように前記抵抗体の抵抗値が設定されていることを特徴とするスイッチング電源装置。
【請求項２】
メインスイッチ素子のオン期間専用の電流導通経路部分における整流側整流素子の寄生抵抗値を含むトータルの抵抗値と、メインスイッチ素子のオフ期間専用の電流導通経路部分における転流側整流素子の寄生抵抗値を含むトータルの抵抗値との比が調整されて、メインスイッチ素子のオン期間に該メインスイッチ素子のオン期間専用の電流導通経路部分を流れる電流と、メインスイッチ素子のオフ期間に該メインスイッチ素子のオフ期間専用の電流導通経路部分を流れる電流との比が、一次コイルに入力する入力電圧の差違に拘わらず外部への出力電圧をほぼ一定にする比率に設定されていることを特徴とする請求項１記載のスイッチング電源装置。
【請求項３】
メインスイッチ素子のオン期間専用の電流導通経路部分とメインスイッチ素子のオフ期間専用の電流導通経路部分とに抵抗体を設けない構成と成しており、整流側整流素子の寄生抵抗値と転流側整流素子の寄生抵抗値との比が調整されて、メインスイッチ素子のオン期間に該メインスイッチ素子のオン期間専用の電流導通経路部分を流れる電流と、メインスイッチ素子のオフ期間に該メインスイッチ素子のオフ期間専用の電流導通経路部分を流れる電流との比が、一次コイルに入力する入力電圧の差違に拘わらず外部への出力電圧をほぼ一定にする比率に設定されていることを特徴とする請求項１記載のスイッチング電源装置。
【発明の詳細な説明】
【０００１】
【発明の属する技術分野】
本発明は、メインスイッチ素子を間接制御するタイプのスイッチング電源装置に関するものである。
【０００２】
【背景技術】
スイッチング電源装置の一回路構成例が図５に示されている。スイッチング電源装置１はトランス２を有し、このトランス２の一次コイルＮ１にはメインスイッチ素子（例えばＭＯＳ−ＦＥＴ）Ｑが接続されている。また、トランス２の二次コイルＮ２には二次側出力回路３が接続されている。二次側出力回路３は、メインスイッチ素子Ｑのスイッチング動作に基づいて二次コイルＮ２から出力される電圧を整流平滑し当該整流平滑した直流電圧を出力電圧Ｖｏｕｔとして外部の負荷４に出力する回路であり、整流側整流素子である整流側ダイオード５と、転流側整流素子である転流側ダイオード６と、チョークコイル７と、平滑コンデンサ８とを有して構成されている。
【０００３】
さらに、トランス２には一次コイルＮ１に磁気結合する三次コイルＮ３が設けられており、三次コイルＮ３には出力電圧検出回路１０が接続されている。出力電圧検出回路１０は二次側出力回路３と同様な回路構成を有しており、整流側整流素子である整流側ダイオード１１と、転流側整流素子である転流側ダイオード１２と、チョークコイル１３と、平滑コンデンサ１４と、分圧抵抗体１５，１６とを有して構成されている。この出力電圧検出回路１０は三次コイルＮ３から出力された電圧を整流平滑し、該整流平滑電圧を分圧抵抗体１５，１６により分圧した電圧を出力電圧Ｖｏｕｔの検出電圧Ｖｄとして出力する。
【０００４】
メインスイッチ素子Ｑには制御回路１８が接続されている。制御回路１８は、誤差増幅器２０と、コンパレータ２１と、基準電圧源２２と、三角波発振回路２３とを有して構成されており、出力電圧Ｖｏｕｔを設定電圧Ｖｓｐに安定化するために、出力電圧検出回路１０から出力された検出電圧Ｖｄを利用してメインスイッチ素子Ｑのスイッチング制御を行う。
【０００５】
このようなスイッチング電源装置１では、制御回路１８の制御動作によりメインスイッチ素子Ｑがスイッチオンすると、一次コイルＮ１に接続された入力電源９から入力電圧Ｖｉｎがトランス２に供給され、二次側出力回路３には図５の実線Ｉｏｎに示されるような経路でもって電流が通電する。これにより、二次側出力回路３では、整流側ダイオード５により二次コイルＮ２の出力電圧が整流され当該整流された電圧が平滑コンデンサ８により平滑され出力電圧Ｖｏｕｔとして負荷４に出力される。また、このメインスイッチ素子Ｑのオン期間中には、二次コイルＮ２の出力電圧に基づいた電流の通電によって、チョークコイル７には電磁エネルギーが蓄積される。
【０００６】
制御回路１８の制御動作によりメインスイッチ素子Ｑがスイッチオフすると、二次側出力回路３には、チョークコイル７に蓄積されたエネルギーに基づいて図５の点線Ｉｏｆｆに示されるような経路でもって電流が通電し、転流側ダイオード６により整流された電圧が平滑コンデンサ８に供給され平滑されて当該整流平滑電圧が出力電圧Ｖｏｕｔとして負荷４に出力される。
【０００７】
一方、出力電圧検出回路１０は二次側出力回路３と同様に動作するものであり、メインスイッチ素子Ｑのオン期間中には、出力電圧検出回路１０には、三次コイルＮ３の出力電圧に基づいた図５の実線ｉｏｎに示されるような経路の電流が通電し、整流側ダイオード１１により整流された三次コイルＮ３の出力電圧が平滑コンデンサ１４により平滑される。出力電圧検出回路１０では、その平滑コンデンサ１４による平滑電圧が分圧抵抗体１５，１６により分圧されて出力電圧Ｖｏｕｔの検出電圧Ｖｄとして出力される。
【０００８】
また、メインスイッチ素子Ｑのオフ期間中に、出力電圧検出回路１０には、チョークコイル１３の蓄積エネルギーに基づいた図５の点線ｉｏｆｆに示されるような経路の電流が通電し、転流側ダイオード１２により整流された電圧が平滑コンデンサ１４により平滑される。そして、平滑コンデンサ１４による平滑電圧が分圧抵抗体１５，１６により分圧され当該分圧電圧が検出電圧Ｖｄとして出力電圧検出回路１０から出力される。
【０００９】
制御回路１８は、出力電圧検出回路１０から出力された検出電圧Ｖｄに基づいて、出力電圧Ｖｏｕｔが設定電圧Ｖｓｐよりも低いことを検知したときには、出力電圧Ｖｏｕｔを上昇させて設定電圧Ｖｓｐとするためにメインスイッチ素子Ｑのスイッチオン期間を長くする方向に制御する。つまり、メインスイッチ素子Ｑのスイッチング動作の予め定められた１周期Ｔに対するスイッチオン期間ｔｏｎの割合（ｔｏｎ／Ｔ）である時比率（デューティ比）を大きくする方向に制御する。これにより、入力電源９からトランス２に供給されるエネルギーが増加して、出力電圧Ｖｏｕｔが高くなる方向に可変し、設定電圧Ｖｓｐに対する出力電圧Ｖｏｕｔの低下分が補償される。
【００１０】
また反対に、制御回路１８は、出力電圧検出回路１０の検出電圧Ｖｄに基づいて、出力電圧Ｖｏｕｔが設定電圧Ｖｓｐよりも高いことを検知したときには、出力電圧Ｖｏｕｔを降下させて設定電圧Ｖｓｐとするためにメインスイッチ素子Ｑのスイッチオン期間を短くする方向に（時比率を小さくする方向）に制御する。これにより、入力電源９からトランス２への供給エネルギーが減少し、出力電圧Ｖｏｕｔが低くなる方向に可変し、設定電圧Ｖｓｐに対する出力電圧Ｖｏｕｔの上昇分が補正される。
【００１１】
このように、制御回路１８によるメインスイッチ素子Ｑのスイッチング制御により、スイッチング電源装置１から出力される電圧Ｖｏｕｔの安定化が図られている。
【００１２】
【発明が解決しようとする課題】
ところで、二次コイルＮ２に誘起される電圧よりも三次コイルＮ３に誘起される電圧が低くなるように設計される場合が多い。二次側出力回路３のダイオード５，６は二次コイルＮ２に誘起される電圧に対応する素子が採用され、また、出力電圧検出回路１０のダイオード１１，１２は三次コイルＮ３に誘起される電圧に対応する素子が採用されるので、二次コイルＮ２の誘起電圧と三次コイルＮ３の誘起電圧とが異なると、必然的に、二次側出力回路３のダイオード５，６と、出力電圧検出回路１０のダイオード１１，１２とは、それぞれ、耐電圧や順方向電圧や逆方向電流などの特性が異なる素子により構成されることになる。この二次側出力回路３側と出力電圧検出回路１０側との整流素子（ダイオード）の特性の違いのために、例えば、複数のスイッチング電源装置１が何れも同じ回路であるのにも拘わらず、入力電圧Ｖｉｎの異なる入力電源９がそれぞれ接続されてしまうと、各々のスイッチング電源装置１から出力される出力電圧Ｖｏｕｔが異なってしまうという問題が生じる。
【００１３】
すなわち、スイッチング電源装置１から出力される出力電圧Ｖｏｕｔは、図６の実線Ｓに示されるように、スイッチング電源装置１に接続される入力電源９の入力電圧Ｖｉｎによらずに一定であることが望ましい。しかしながら、整流素子であるダイオード５，６とダイオード１１，１２との特性の違いのために、出力電圧Ｖｏｕｔが同じであるのに、入力電圧Ｖｉｎの差違により出力電圧検出回路１０から出力される検出電圧Ｖｄが異なってしまい、これに起因して、図６の点線ａに示されるように入力電圧Ｖｉｎが大きくなるにつれて出力電圧Ｖｏｕｔが高くなる事態が生じたり、図６の鎖線ｂに示されるように入力電圧Ｖｉｎが大きくなるに従って出力電圧Ｖｏｕｔが低くなる事態が発生してしまう。つまり、スイッチング電源装置１から出力される電圧Ｖｏｕｔが、接続される入力電源９の入力電圧Ｖｉｎに応じて異なってしまうという問題が生じる。
【００１４】
本発明は上記課題を解決するために成されたものであり、その目的は、回路構成の煩雑化を防止しながら、入力電圧Ｖｉｎの差違によらずに出力電圧Ｖｏｕｔを一定にすることができるスイッチング電源装置を提供することにある。
【００１５】
【課題を解決するための手段】
上記目的を達成するために、この発明は次に示す構成をもって前記課題を解決するための手段としている。すなわち、この発明は、トランスの一次コイル側に設けられたメインスイッチ素子のスイッチング動作によって、トランスの二次コイルから出力される電圧を整流平滑して外部に出力する構成を備えると共に、トランスの三次コイルから出力される電圧を整流平滑し当該整流平滑電圧に基づいた電圧を前記外部への出力電圧の検出電圧として間接的に検出出力する出力電圧検出回路と、前記外部への出力電圧を安定化するために出力電圧検出回路による検出電圧を利用してメインスイッチ素子のスイッチング制御を行う制御回路とが設けられているスイッチング電源装置において、出力電圧検出回路は、メインスイッチ素子のオン期間に整流動作を行う整流側整流素子と、メインスイッチ素子のオフ期間に整流動作を行う転流側整流素子と、整流側整流素子を通るメインスイッチ素子のオン期間専用の電流導通経路部分と、転流側整流素子を通るメインスイッチ素子のオフ期間専用の電流導通経路部分とを有し、そのメインスイッチ素子のオン期間専用の電流導通経路部分と、メインスイッチ素子のオフ期間専用の電流導通経路部分とのうちの少なくとも一方には抵抗体が直列的に介設されており、メインスイッチ素子のオン期間に該メインスイッチ素子のオン期間専用の電流導通経路部分を流れる電流と、メインスイッチ素子のオフ期間に該メインスイッチ素子のオフ期間専用の電流導通経路部分を流れる電流との比が、一次コイルに入力する入力電圧の差違に拘わらず外部への出力電圧をほぼ一定にする比率となるように前記抵抗体の抵抗値が設定されていることを特徴としている。
【００１６】
【発明の実施の形態】
以下に、この発明に係る実施形態例を図面に基づいて説明する。なお、以下に述べる各実施形態例の説明において、図５に示すスイッチング電源装置と同一構成部分には同一符号を付し、その共通部分の重複説明は省略する。
【００１７】
第１実施形態例のスイッチング電源装置１は、図５に示す回路構成に加えて、次に示すような構成が設けられている。すなわち、図５に示す回路を設計して、二次側出力回路３と出力電圧検出回路１０の各々の整流素子として使用される各ダイオード５，６，１１，１２が決定すると、その設計したスイッチング電源装置１が、図６の点線ａに示すような出力電圧Ｖｏｕｔと入力電圧Ｖｉｎとの関係を持つのか、あるいは、鎖線ｂに示すような出力電圧Ｖｏｕｔと入力電圧Ｖｉｎとの関係を持つのかが分かる。第１実施形態例では、入力電圧Ｖｉｎが高くなるに従って出力電圧Ｖｏｕｔが高くなる場合（点線ａの場合）には、出力電圧検出回路１０に図１（ａ）に示されるような抵抗体Ｒ１を設ける。この抵抗体Ｒ１は、メインスイッチ素子Ｑがオンしている期間だけに電流が通電するメインスイッチ素子Ｑのオン期間専用の電流導通経路部分（図１（ａ）のＸ部分から整流側ダイオード１１と三次コイルＮ３を通りＹ部分に至るまでの電流導通経路部分）に直列的に介設されている。
【００１８】
また、入力電圧Ｖｉｎが高くなるに従って出力電圧Ｖｏｕｔが低くなる場合（図６の鎖線ｂの場合）には、出力電圧検出回路１０に図２（ａ）に示されるような抵抗体Ｒ２を設ける。この抵抗体Ｒ２は、メインスイッチ素子Ｑがオフしている期間だけに電流が通電するメインスイッチ素子Ｑのオフ期間専用の電流導通経路部分（つまり、前記Ｘ部分から転流側ダイオード１２を通りＹ部分に至る電流導通経路部分）に直列的に介設されている。
【００１９】
通常、出力電圧検出回路１０の整流側ダイオード１１と転流側ダイオード１２にはそれぞれ同じ特性のダイオードが用いられており、図５の回路構成では、メインスイッチ素子Ｑのオン期間に当該メインスイッチ素子Ｑのオン期間専用の電流導通経路部分に流れる電流ｉｏｎに対するメインスイッチ素子Ｑのオフ期間に当該メインスイッチ素子Ｑのオフ期間専用の電流導通経路部分に流れる電流ｉｏｆｆとの電流比（ｉｏｆｆ／ｉｏｎ）はほぼ１である。これに対して、抵抗体Ｒ１を設けると、抵抗体Ｒ１を設けない場合に比べて、抵抗体Ｒ１による損失が発生する分、前記電流ｉｏｎは減少し、これにより、当該電流ｉｏｎは、前記電流ｉｏｆｆよりも少なくなる。よって、抵抗体Ｒ１を設けることにより、前記電流比（ｉｏｆｆ／ｉｏｎ）は１よりも大きくなる。
【００２０】
この場合、電流ｉｏｎの減少によって、出力電圧検出回路１０から出力される検出電圧Ｖｄは、図１（ｂ）の二点鎖線Ｌ１に示されるように、出力電圧Ｖｏｕｔが変化していないのにも拘わらず、入力電圧Ｖｉｎが高くなるにつれて大きくなる傾向を示そうとする。それというのは、入力電圧Ｖｉｎが高くなるに従って、制御回路１８の制御動作によりメインスイッチ素子Ｑのオン期間が短くなっていき、電流ｉｏｎの通電時間が短くなる。このため、電流ｉｏｎの減少が検出電圧Ｖｄの減少に与える影響が小さくなるので、入力電圧Ｖｉｎが低い場合よりも入力電圧Ｖｉｎが高い場合の方が電流ｉｏｎの減少による検出電圧Ｖｄの降下量が少なくなる。つまり、入力電圧Ｖｉｎが低い場合よりも入力電圧Ｖｉｎが高い場合の方が検出電圧Ｖｄが高くなるので、入力電圧Ｖｉｎの差違に対する検出電圧Ｖｄの変化傾向は二点鎖線Ｌ１に示すようになる。
【００２１】
このように、電流ｉｏｎの減少によって出力電圧検出回路１０の検出電圧Ｖｄは入力電圧Ｖｉｎが高くなるにつれて大きくなる傾向を示そうとするが、実際には、二次側出力回路３のダイオード５，６と、出力電圧検出回路１０のダイオード１１，１２との特性の違いに起因した図１（ｂ）の点線ａ’に示すような出力電圧検出回路１０の検出電圧Ｖｄと入力電圧Ｖｉｎとの関係があることから、このダイオード５，６，１１，１２の特性に起因した入力電圧Ｖｉｎの差違に対する検出電圧Ｖｄの変化傾向（点線ａ’）と、前記電流ｉｏｎの減少に起因した入力電圧Ｖｉｎの差違に対する検出電圧Ｖｄの変化傾向（二点鎖線Ｌ１）とを相殺させることにより、出力電圧Ｖｏｕｔが同じであるならば、図１（ｂ）の実線ｄのように入力電圧Ｖｉｎの差違によらずに出力電圧検出回路１０の検出電圧Ｖｄを一定にすることができる。
【００２２】
このことから、第１実施形態例では、抵抗体Ｒ１に起因した電流ｉｏｎの減少による入力電圧Ｖｉｎの差違に対する検出電圧Ｖｄの変化傾向によって、ダイオード５，６，１１，１２の特性に起因した入力電圧Ｖｉｎの差違に応じた検出電圧Ｖｄの変化傾向を打ち消すことができるように、抵抗体Ｒ１の抵抗値が調整されている。つまり、抵抗体Ｒ１の抵抗値は、電流比（ｉｏｆｆ／ｉｏｎ）が、入力電圧Ｖｉｎの差違に拘わらず出力電圧Ｖｏｕｔをほぼ一定にする比率となるように設定される。
【００２３】
これにより、同じ回路を持つ複数のスイッチング電源装置１に、それぞれ、入力電圧Ｖｉｎの異なる入力電源９が接続されても、各スイッチング電源装置１から設定電圧Ｖｓｐを持つ出力電圧Ｖｏｕｔを出力させることが可能となる。
【００２４】
図２（ａ）に示すように抵抗体Ｒ２を設けた場合には、抵抗体Ｒ２による損失が発生する分、メインスイッチ素子Ｑのオフ期間中にメインスイッチ素子Ｑのオフ期間専用の電流導通経路部分を流れる電流ｉｏｆｆが減少する。これにより、当該電流ｉｏｆｆは、前記電流ｉｏｎよりも少なくなる。よって、抵抗体Ｒ２を設けることにより、前記電流比（ｉｏｆｆ／ｉｏｎ）は１よりも小さくなる。
【００２５】
この場合、電流ｉｏｆｆの減少によって、出力電圧検出回路１０から出力される検出電圧Ｖｄは、出力電圧Ｖｏｕｔが変化していないのにも拘わらず、図２（ｂ）の二点鎖線Ｌ２に示されるように、入力電圧Ｖｉｎが高くなるにつれて少なくなる傾向を示そうとする。それというのは、入力電圧Ｖｉｎが高くなるに従って、制御回路１８の制御動作によりメインスイッチ素子Ｑのオフ期間が長くなり、電流ｉｏｆｆの通電時間が増加する結果、電流ｉｏｆｆの減少が検出電圧Ｖｄの減少に与える影響が大きくなるからである。
【００２６】
このように、電流ｉｏｆｆの減少によって出力電圧検出回路１０の検出電圧Ｖｄは入力電圧Ｖｉｎが高くなるにつれて少なくなる傾向を示そうとするが、実際には、二次側出力回路３のダイオード５，６と、出力電圧検出回路１０のダイオード１１，１２との特性の違いに起因した図２（ｂ）の鎖線ｂ’に示すような出力電圧検出回路１０の検出電圧Ｖｄと入力電圧Ｖｉｎとの関係があることから、このダイオード５，６，１１，１２の特性に起因した入力電圧Ｖｉｎに応じた検出電圧Ｖｄの変化傾向（一点鎖線ｂ’）と、前記電流ｉｏｆｆの減少による入力電圧Ｖｉｎに応じた検出電圧Ｖｄの変化傾向（二点鎖線Ｌ２）とを相殺させることにより、出力電圧Ｖｏｕｔが同じであるならば、図２（ｂ）の実線ｄのように入力電圧Ｖｉｎの差違によらずに出力電圧検出回路１０の検出電圧Ｖｄを一定にすることができる。
【００２７】
このことから、第１実施形態例では、抵抗体Ｒ２に起因した電流ｉｏｆｆの減少による入力電圧Ｖｉｎに応じた検出電圧Ｖｄの変化傾向によって、ダイオード５，６，１１，１２の特性に起因した入力電圧Ｖｉｎに応じた検出電圧Ｖｄの変化傾向を打ち消すことができるように、抵抗体Ｒ２の抵抗値が調整されている。つまり、抵抗体Ｒ２の抵抗値は、前記電流比（ｉｏｆｆ／ｉｏｎ）が入力電圧Ｖｉｎの差違に拘わらず出力電圧Ｖｏｕｔをほぼ一定にする比率となるように設定されている。
【００２８】
なお、この第１実施形態例では、抵抗体Ｒ１を設ける場合には、抵抗体Ｒ１は、整流側ダイオード１１と三次コイルＮ３との間の電流導通経路部分に介設されていたが、抵抗体Ｒ１は、メインスイッチ素子Ｑのオン期間専用の電流導通経路部分であれば、介設位置が限定されるものではなく、例えば、前記Ｘ部分と整流側ダイオード１１間の電流導通経路部分に抵抗体Ｒ１を介設してもよい。
【００２９】
また同様に、抵抗体Ｒ２に関しても同様であり、メインスイッチ素子Ｑのオフ期間専用の電流導通経路部分であれば、介設位置が限定されるものではなく、例えば、前記Ｘ部分と転流側ダイオード１２間の電流導通経路部分に抵抗体Ｒ２を直列的に介設してもよい。
【００３０】
さらに、この第１実施形態例では、抵抗体Ｒ１，Ｒ２のうちの一方側のみを設ける構成であったが、抵抗体Ｒ１，Ｒ２の両方をそれぞれ上記同様な位置に設けてもよい。この場合には、前記電流比（ｉｏｆｆ／ｉｏｎ）が、一次コイルＮ１に入力する入力電圧Ｖｉｎの差違に拘わらず出力電圧Ｖｏｕｔをほぼ一定にする比率となるように、抵抗体Ｒ１の抵抗値と抵抗体Ｒ２の抵抗値との比が設定される。
【００３１】
さらに、抵抗体Ｒ１や抵抗体Ｒ２を可変抵抗体により構成してもよい。この場合には、前記電流比（ｉｏｆｆ／ｉｏｎ）が、入力電圧Ｖｉｎの差違に拘わらず出力電圧Ｖｏｕｔをほぼ一定にする比率となるように、その可変抵抗体である抵抗体Ｒ１や抵抗体Ｒ２の抵抗値が調整された後に固定されて使用されることとなる。
【００３２】
以下に、第２実施形態例を説明する。この第２実施形態例では、第１実施形態例に示した抵抗体Ｒ１，Ｒ２を設けない構成として、次に示すような構成を有する。すなわち、通常、整流側ダイオード１１と転流側ダイオード１２は、同じダイオードを用いているが、第２実施形態例では、整流側ダイオード１１と転流側ダイオード１２が、それぞれ、寄生抵抗値の異なるダイオードにより構成されている。これにより、メインスイッチ素子Ｑのオン期間中に当該メインスイッチ素子Ｑのオン期間専用の電流導通経路部分に流れる電流ｉｏｎと、メインスイッチ素子Ｑのオフ期間中に当該メインスイッチ素子Ｑのオフ期間専用の電流導通経路部分に流れる電流ｉｏｆｆとが異なり、これら電流ｉｏｎと電流ｉｏｆｆの比（ｉｏｆｆ／ｉｏｎ）は１以外の値となる。
【００３３】
第１実施形態例でも述べたように、電流比（ｉｏｆｆ／ｉｏｎ）を調整することで、入力電圧Ｖｉｎの差違に拘わらず出力電圧検出回路１０の検出電圧Ｖｄを一定にすることができる。これにより、入力電圧Ｖｉｎの差違によらずにスイッチング電源装置１の出力電圧Ｖｏｕｔを一定にすることができる。このことを考慮して、第２実施形態例では、整流側ダイオード１１と転流側ダイオード１２の各々の寄生抵抗値を調整することで前記電流比（ｉｏｆｆ／ｉｏｎ）を調整している。つまり、整流側ダイオード１１の寄生抵抗値と転流側ダイオード１２の寄生抵抗値との比は、前記電流比（ｉｏｆｆ／ｉｏｎ）が入力電圧Ｖｉｎの差違に拘わらずスイッチング電源装置１の出力電圧Ｖｏｕｔが一定になる比率となるための比に設定される。
【００３４】
なお、この発明は第１や第２の各実施形態例に限定されるものではなく、様々な実施の形態を採り得る。例えば、第１や第２の各実施形態例では、出力電圧検出回路１０は、一次コイルＮ１に磁気結合した三次コイルＮ３を利用して、出力電圧Ｖｏｕｔの検出電圧Ｖｄを検出出力する構成であったが、例えば、図３に示されるように、二次コイルＮ２に磁気結合した三次コイルＮ３を設け、この三次コイルＮ３を利用して出力電圧Ｖｏｕｔの検出電圧Ｖｄを検出出力する出力電圧検出回路１０を設けてもよい。この場合には、出力電圧検出回路１０の検出電圧Ｖｄを制御回路１８に供給するために、出力電圧検出回路１０から制御回路１８への検出電圧Ｖｄの供給経路上にはフォトカプラ２５が介設されることとなる。
【００３５】
このような二次コイルＮ２に磁気結合した三次コイルＮ３を利用した出力電圧検出回路１０が設けられる場合においても、第１実施形態例の如く抵抗体Ｒ１，Ｒ２の少なくとも一方を設けたり、整流側ダイオード１１と転流側ダイオード１２の寄生抵抗値を異なるものとしたりして、電流ｉｏｎ，ｉｏｆｆを調整することにより、前記電流比（ｉｏｆｆ／ｉｏｎ）が入力電圧Ｖｉｎの差違に拘わらずスイッチング電源装置１の出力電圧Ｖｏｕｔが一定になる比率とすることができる。
【００３６】
さらに、第１実施形態例では、抵抗体Ｒ１，Ｒ２の少なくとも一方を設け当該抵抗体Ｒ１，Ｒ２の抵抗値を調整することで、また、第２実施形態例では、整流側ダイオード１１と転流側ダイオード１２の寄生抵抗値を調整することで、前記電流比（ｉｏｆｆ／ｉｏｎ）を調整して、入力電圧Ｖｉｎの差違に拘わらずスイッチング電源装置１の出力電圧Ｖｏｕｔを一定にしていたが、第１実施形態例の構成と第２実施形態例の構成とを組み合わせてもよい。例えば、抵抗体Ｒ１，Ｒ２の少なくとも一方を設ける構成とし、前記電流比（ｉｏｆｆ／ｉｏｎ）が入力電圧Ｖｉｎの差違に拘わらずスイッチング電源装置１の出力電圧Ｖｏｕｔが一定になる比率となるように、組み込んだ抵抗体Ｒ１あるいはＲ２の抵抗値を考慮して、メインスイッチ素子Ｑのオン期間専用の電流導通経路部分における整流側ダイオード１１の寄生抵抗値を含むトータルの抵抗値と、メインスイッチ素子Ｑのオフ期間専用の電流導通経路部分における転流側ダイオード１２の寄生抵抗値を含むトータルの抵抗値との比を設定する。
【００３７】
さらに、第１や第２の各実施形態例では、整流素子として、ダイオード５，６，１１，１２が設けられたが、それら整流素子であるダイオード５，６，１１，１２のうちの１つ以上を例えば図４に示されるようなＭＯＳ−ＦＥＴ等の同期整流器２６，２７により構成してもよい。
【００３８】
さらに、第１や第２の各実施形態例では、フォワードコンバータタイプのスイッチング電源装置１を例にして説明したが、この発明は、フライバックコンバータタイプのスイッチング電源装置１にも適用することができるものである。また、第１や第２の各実施形態例のスイッチング電源装置１では、ＤＣ−ＤＣ変換の例を示したが、この発明は、ＡＣ−ＤＣ変換タイプのスイッチング電源装置１にも適用することができる。
【００３９】
【発明の効果】
この発明によれば、メインスイッチ素子のオン期間専用の電流導通経路部分と、メインスイッチ素子のオン期間専用の電流導通経路部分とのうちの少なくとも一方に抵抗体を設けたり、それら電流導通経路部分に設けられている整流素子の寄生抵抗値を調整することで、メインスイッチ素子のオン期間に当該メインスイッチ素子のオン期間専用の電流導通経路部分を流れる電流と、メインスイッチ素子のオフ期間に当該メインスイッチ素子のオフ期間専用の電流導通経路部分に流れる電流との比を調整して、一次コイルに入力する入力電圧の差違に拘わらず外部への出力電圧をほぼ一定にする構成を備えた。
【００４０】
このため、例えば、複数の同じ回路を持つスイッチング電源装置に、それぞれ、入力電圧が異なる入力電源が接続されても、それら各々のスイッチング電源装置から設定電圧値の出力電圧を出力させることができる。これにより、スイッチング電源装置の性能の信頼性を向上させることができる。
【００４１】
また、メインスイッチ素子のオン期間専用の電流導通経路部分と、メインスイッチ素子のオン期間専用の電流導通経路部分とのうちの少なくとも一方に抵抗体を設けるだけで、又は、その抵抗体を設けずに出力電圧検出回路の整流側整流素子と転流側整流素子の寄生抵抗値を調整するだけで、上記のような優れた効果を得ることができるので、回路の煩雑化や部品点数の増加を回避でき、また、装置の大型化を防止することができる。
【図面の簡単な説明】
【図１】第１実施形態例の特徴的な構成を備えたスイッチング電源装置の一回路構成例を説明するための図である。
【図２】第１実施形態例の特徴的な構成を備えたスイッチング電源装置の別の回路構成例を説明するための図である。
【図３】本発明に係るスイッチング電源装置のその他の実施形態例を示す回路図である。
【図４】整流素子として同期整流器を用いた例を説明するための回路図である。
【図５】メインスイッチ素子を間接制御するタイプのスイッチング電源装置の一例を示す回路図である。
【図６】従来の課題を説明するための図である。
【符号の説明】
１　スイッチング電源装置
２　トランス
５，１１　整流側ダイオード
６，１２　転流側ダイオード
１０　出力電圧検出回路
１８　制御回路
２６，２７　同期整流器
Ｎ１　一次コイル
Ｎ２　二次コイル
Ｎ３　三次コイル
Ｒ１，Ｒ２　抵抗体
【図１】
2004135362.tif 000003
【図２】
2004135362.tif 000004
【図３】
2004135362.tif 000005
【図４】
2004135362.tif 000006
【図５】
2004135362.tif 000007
【図６】
2004135362.tif 000008